(57)【要約】【課題】特別なキー操作やタイマー設定を要することなく、虫または動物の発する音をマイクで集音すると自動的に虫または動物の発する音が含まれるかを判定し、判定された虫または動物の嫌う周波数の音波を出力してその接近を回避することができる携帯電話端末を得ることを目的とする。【解決手段】虫または動物の発する音の周波数データと、虫または動物の嫌う周波数の音データとを記憶する記憶部と、マイクから入力された音信号を解析して抽出した周波数データと記憶部に記憶された虫または動物の発する音の周波数データとの比較結果に基づいて、マイクから入力された音信号に含まれる虫または動物の発する音を判定し、この判定結果に対応する前記虫または動物の嫌う周波数の音データを記憶部から読み出す判定部と、判定部により読み出された音データを音波として出力するスピーカとを備えたものである。【選択図】図１
2008301747.tif 000002
【特許請求の範囲】
【請求項１】
虫または動物の発する音の周波数データと、前記虫または動物の嫌う周波数の音データとを記憶する記憶部と、
マイクから入力された音信号を解析して抽出した周波数データと前記記憶部に記憶された虫または動物の発する音の周波数データとの比較結果に基づいて、前記マイクから入力された音信号に含まれる前記虫または動物の発する音を判定し、この判定結果に対応する前記虫または動物の嫌う周波数の音データを前記記憶部から読み出す判定部と、
前記判定部により読み出された前記音データを音波として出力するスピーカとを備えた携帯電話端末。
【請求項２】
前記判定部は、前記マイクから入力された音信号を解析して前記音信号に含まれる周波数成分を抽出すると共に、前記音信号から抽出した周波数成分が所定の時間変化に合致するか否かを解析し、前記マイクから入力された音信号のうち前記所定の時間変化に合致する周波数成分の周波数データを、前記記憶部に記憶された虫または動物の発する音の周波数データと比較することを特徴とする請求項１記載の携帯電話端末。
【請求項３】
前記記憶部は、複数の虫または動物に発する音の周波数データと前記複数の虫または動物の嫌う周波数の音データとをそれぞれ対応付けて記憶することを特徴とする請求項１または請求項２記載の携帯電話端末。
【請求項４】
前記記憶部は、虫または動物の発する音の周波数データおよび、地域ごとの前記虫または動物の嫌う周波数の音データを前記地域を識別する地域データに対応付けて記憶し、
前記判定部は、基地局との無線通信により特定された地域データに対応する地域の前記記憶部の内容を用いて、前記マイクから入力された音信号に含まれる前記虫または動物の発する音を判定し、この判定結果に対応する前記虫または動物の嫌う周波数の音データを前記記憶部から読み出すことを特徴とする請求項１から請求項３のうちのいずれか１項記載の携帯電話端末。
【請求項５】
表示部を備え、
前記記憶部は、虫または動物の発する音の周波数データと、前記虫または動物の嫌う周波数の音データとを、前記虫または動物の種類に対応付けて記憶し、
前記判定部は、前記マイクから入力された音信号に周波数データが含まれると判定した前記虫または動物の種類を前記記憶部から読み出し、
前記表示部は、前記判定部により読み出された前記虫または動物の種類を表示することを特徴とする請求項１から請求項４のうちのいずれか１項記載の携帯電話端末。
【発明の詳細な説明】
【技術分野】
【０００１】
この発明は、周囲の音を集音可能なマイクを備えた携帯電話端末に関する。
【背景技術】
【０００２】
近年、携帯電話端末が広く普及したことにより、一般的な通話機能の他に様々な機能が備えられている。例えば、特許文献１に開示される従来の携帯電話端末では、使用者によるキー操作に応じて予め登録された蚊が嫌がる音を出力し、蚊の接近を回避しようとするものがある。また、特許文献２には、使用者によるキー操作に応じて予め備えられたカートリッジ内の虫除け剤を外部に散布する携帯電話機が開示されている。
【０００３】
【特許文献１】特開２００１−２０３７８４号公報
【特許文献２】特開２００５−１５０８２８号公報
【発明の開示】
【発明が解決しようとする課題】
【０００４】
従来の携帯電話端末は、上記のように構成されていたので、蚊の嫌う音を出力するためには、予め登録された所定のキー操作を実行する必要があったり、タイマー設定を行う必要がある。このため、蚊が周囲にいても使用者がその羽音に気づかなければ、蚊が嫌がる音を出力するキー操作のタイミングを逃す可能性があり、また蚊が周囲にいないのにキー操作に応じて不必要に蚊が嫌がる音が出力されるなどの課題があった。
【０００５】
また、蚊は生息する地域によって嫌う周波数がそれぞれ異なるため、使用場所が異なると虫除け効果が得られない。また、蚊以外の虫や動物についても、生息地域の他、その種類によって嫌がる音の周波数が異なる。このため、現実的に虫や動物の接近を回避するためには、その生息地域やその種類に応じて音の周波数を変更する必要がある。
【０００６】
さらに、特許文献２のように虫除け剤を散布するものでは、虫除け用の薬剤がなくなるたびに補充しなければならず、また薬剤を搭載するための容積が必要であり携帯電話端末の小型化を妨げるという課題があった。
【０００７】
この発明は、上記のような課題を解決するためになされたものであり、特別なキー操作やタイマー設定を要することなく、虫または動物の発する音をマイクで集音すると自動的に虫または動物の発する音が含まれるかを判定し、判定された虫または動物の嫌う周波数の音波を出力してその接近を回避することができる携帯電話端末を得ることを目的とする。
【課題を解決するための手段】
【０００８】
この発明に係る携帯電話端末は、虫または動物の発する音の周波数データと、虫または動物の嫌う周波数の音データとを記憶する記憶部と、マイクから入力された音信号を解析して抽出した周波数データと記憶部に記憶された虫または動物の発する音の周波数データとの比較結果に基づいて、マイクから入力された音信号に含まれる虫または動物の発する音を判定し、この判定結果に対応する前記虫または動物の嫌う周波数の音データを記憶部から読み出す判定部と、判定部により読み出された音データを音波として出力するスピーカとを備えたものである。
【発明の効果】
【０００９】
この発明によれば、虫または動物の発する音の周波数データと、虫または動物の嫌う周波数の音データとを記憶する記憶部と、マイクから入力された音信号を解析して抽出した周波数データと記憶部に記憶された虫または動物の発する音の周波数データとの比較結果に基づいて、マイクから入力された音信号に含まれる虫または動物の発する音を判定し、この判定結果に対応する前記虫または動物の嫌う周波数の音データを記憶部から読み出す判定部と、判定部により読み出された音データを音波として出力するスピーカとを備えたので、虫または動物の発する音をマイクで集音するだけで自動的に虫または動物の嫌う周波数の音波を出力してその接近を回避することができる。また、虫除け用薬剤等を用いないので、虫除け用薬剤等を格納する容積が不要であり、携帯電話端末の小型化に貢献できるという効果がある。
【発明を実施するための最良の形態】
【００１０】
実施の形態１．
図１は、この発明の実施の形態１による携帯電話端末の構成を示すブロック図である。図１において、この実施の形態１による携帯電話端末は、音響制御部１０、マイク１１、スピーカ１２、表示制御部２０、ディスプレイ２１、キー操作部３０、無線部４０、アンテナ４１、演算部（判定部）５０、記憶部６０および制御部７０を備える。マイク１１は、使用者の音声や周囲の音を集音する。スピーカ１２は、着信音や通話相手の音声など様々な周波数の音を出力する。
【００１１】
音響制御部１０は、マイク１１とスピーカ１２とのオン・オフを制御するとともに、マイク１１を介して入力されたアナログの音信号をデジタル信号に変換したり、デジタルの音データをスピーカ１２を介して出力するアナログの音信号に変換する。表示制御部２０は、ディスプレイ２１への情報表示を制御する。ディスプレイ２１は、携帯電話端末の状態や情報を表示する構成要素であり、液晶ディスプレイ等の小型ディスプレイが考えられる。キー操作部３０は、使用者が当該携帯電話端末に情報を設定するための構成要素である。無線部４０は、アンテナ４１を介した外部と無線通信を制御する。
【００１２】
演算部（判定部）５０は、携帯電話端末におけるデータ処理に必要な演算処理を行う構成要素であり、マイク１１から入力された音信号を解析して抽出した周波数データとデータベース６１の周波数データとの比較結果に基づいて、マイク１１から入力された音信号に含まれる虫または動物の発する音を判定し、この判定結果に対応する虫または動物の嫌う周波数の音データをデータベース６２から読み出す機能を有する。この演算部５０は、解析部５１および比較部５２を備える。
【００１３】
解析部５１は、制御部７０からの演算処理の指示に従って、音響制御部１０から入力された音データを周波数変換したのち、この周波数を解析して周波数成分を抽出し、マイク１１を介して入力された音信号の周波数データとして出力する。比較部５２は、解析部５１から入力した周波数データと記憶部６０に記憶されている周波数データとを比較し、マイク１１を介して入力された音信号の周波数データに対応する虫または動物の嫌う周波数の音データを出力する。
【００１４】
また、記憶部６０には、虫または動物が発生する羽音や鳴き声などの音の周波数成分を周波数データとして記憶するデータベース６１と、データベース６１に音が記憶されている虫または動物が嫌がる周波数の音データを記憶するデータベース６２とがその記憶領域上に構築される。また、データベース６２には、音データそのものとこの音データに関連する虫または動物の種類を特定する情報が付属情報として記憶されている。
【００１５】
次に動作について説明する。
図２はこの発明による携帯電話端末の制御手順を示すフローチャートである。図２において、携帯電話端末のマイク１１によって音を集音して音信号を入力すると（ステップＳＴ１０１）、音響制御部１０は、マイク１１から入力されたアナログの音信号をデジタル信号に変換し音データとする（ステップＳＴ１０２）。次に、制御部７０は、音響制御部１０からの音データを演算部５０へ出力し、演算部５０に当該音データの解析を指示する（ステップＳＴ１０３）。
【００１６】
演算部５０が制御部７０から音データを解析するよう指示を受けると、演算部５０内の解析部５１は、当該音データを周波数変換したのち、どのような周波数成分が含まれているか解析して、マイク１１から入力した音信号に含まれる虫または動物の発する音の候補となる周波数成分を抽出する。さらに、解析部５１は、マイク１１から入力した音信号から抽出した周波数成分が所定の時間変化に合致するか否かを解析し、当該所定の時間変化に合致する周波数成分をマイク１１から入力した音信号の周波数データとする。このようにして得られたマイク１１から入力した音信号の周波数データは、解析部５１から比較部５２に出力される（ステップＳＴ１０４）。なお、所定の時間変化としては、例えば抽出した周波数成分が一定時間継続してマイク１１から入力した音信号中に存在する場合、当該音信号に含まれる騒音以外の音信号による周波数成分であると判断する。
【００１７】
次に、比較部５２は、解析部５１から入力された周波数データとデータベース６１に記憶された周波数データとを比較し、データベース６１に記憶された虫または動物の発する音の周波数データのうち、解析部５１から入力された周波数データの周波数成分に合致する周波数データがあるか否かを判定する（ステップＳＴ１０５）。このとき、解析部５１から入力された周波数データの周波数成分に合致する周波数データがある場合、比較部５２は、マイク１１から入力した音信号中に虫の羽音や動物の鳴き声が含まれていると判定し、ステップＳＴ１０６の処理に移行する。また、合致する周波数データがない場合は、ステップＳＴ１１１の処理に移行する。
【００１８】
ステップＳＴ１０６において、比較部５２は、マイク１１から入力した音信号中に羽音や鳴き声が含まれた虫または動物の嫌がる周波数の音データおよびその付属情報をデータベース６２から読み出す。例えば、マイク１１から入力した音信号中に蚊の羽音が含まれていた場合は、蚊の嫌がる周波数１２ｋ〜１６ｋＨｚの音データおよび当該蚊の種類を特定する付属情報がデータベース６２から読み出される。また、マイク１１から入力した音信号中に野犬の鳴き声が含まれていた場合は、犬の嫌がる周波数１８ｋ〜２３ｋＨｚの音データおよび当該犬の種類を特定する付属情報がデータベース６２から読み出される。次に、制御部７０は、比較部５２から音データが出力されると、音響制御部１０へ当該音データの音出力を指示するとともに、表示制御部２０へ音データの付属情報の表示を指示をする（ステップＳＴ１０７）。
【００１９】
音響制御部１０は、制御部７０からの指示に従って、比較部５２によりデータベース６２から読み出されたデジタルの音データをアナログ信号に変換してスピーカ１２に出力し（ステップＳＴ１０８）、スピーカ１２は音響制御部１０から入力された音信号を音波として出力する（ステップＳＴ１０９）。また、表示制御部２０は、制御部７０からの指示に従って、比較部５２によりデータベース６２から読み出された音データの付属情報により特定される虫または動物の種類をディスプレイ２１へ出力する。これにより、ディスプレイ２１は、現在嫌がる周波数の音波が出力されている虫または動物の種類を表示する（ステップＳＴ１１０）。例えば、蚊の絵等を表示することにより、使用者に対して蚊が近くにいることおよびこの蚊に対する撃退用の音が出力されていることを提示することができる。ステップＳＴ１１０が終了するとステップＳＴ１０１に戻り、同様のフローを行う。
【００２０】
一方、比較部５２は、ステップＳＴ１０５でデータベース６１のデータと不一致、すなわち虫または動物の発する音が含まれていないと判定した場合、音データの出力を行わない。このとき、制御部７０は、比較部５２からの音データの出力が無いことに基づいて音響制御部１０へ音出力の終了を指示するとともに、表示制御部２０へ表示の終了を指示をし（ステップＳＴ１１１）、音響制御部１０は音出力を終了させる（ステップＳＴ１１２）とともに、表示制御部２０は表示データの出力を終了してディスプレイ２１を通常の待ち受け画面に復帰させる（ステップＳＴ１１３）。ステップＳＴ１１３が終了するとステップＳＴ１０１に戻り、同様のフローを続ける。
【００２１】
以上のように、この実施の形態１によれば、虫または動物の発する音の周波数データと、虫または動物の嫌う周波数の音データとをデータベースとして記憶する記憶部６０と、マイク１１から入力された音信号を解析して抽出した周波数データと記憶部６０に記憶された虫または動物の発する音の周波数データとの比較結果に基づいて、マイク１１から入力された音信号に含まれる虫または動物の発する音を判定し、この判定結果に対応する前記虫または動物の嫌う周波数の音データを記憶部６０から読み出す演算部５０と、演算部５０により読み出された音データを音波として出力するスピーカ１２とを備えたので、虫または動物の発する音をマイク１１で集音するだけで、マイク１１で集音された音信号に含まれる虫または動物が発する音を自動的に判定し、この虫または動物の嫌う周波数の音波を出力することができ、煩雑なキー操作を施すことなく虫または動物の接近を回避することができる。また、虫除け用薬剤等を用いないので、虫除け用薬剤等を格納する容積が不要であり、携帯電話端末の小型化に貢献できる。
【００２２】
実施の形態２．
上記実施の形態１では、虫または動物の周波数データを判定して、対応する虫または動物の嫌う周波数の音を出力する構成について述べたが、虫または動物の周波数データと地域データとを判定して、対応する地域毎に虫または動物の嫌う周波数の音を出力する構成にしてもよい。
【００２３】
この実施の形態２による携帯電話端末は、上記実施の形態１で示した図１の構成と基本的に同様であるが、無線部４０がアンテナ４１を介して基地局へ自端末の位置登録要求をした際に自端末が位置する地域の国コード（地域データ）を取得し、データベース６２が地域ごとの虫または動物の嫌う周波数の音データを国コードに対応付けて記憶する点が異なる。他の構成は、実施の形態１の図１と同様であるので説明は省略する。
【００２４】
次に動作について説明する。
図３は、この発明による携帯電話端末の実施の形態２での制御手順を示すフローチャートである。図３に示すステップＳＴ２０１からステップＳＴ２０５までの処理は、上記実施の形態１のステップＳＴ１０１からステップＳＴ１０５までの処理と同様であるため、説明を省略する。
【００２５】
制御部７０は、ステップＳＴ２０５で虫または動物の発する音と一致したと判定する信号が出力されると、無線部４０へ位置登録を要求をするように指示する。次に無線部４０は、無線基地局（図示せず）に対してアンテナ４１から位置登録要求信号を送信し（ステップＳＴ２０６）、基地局から位置登録完了信号（以下、端末位置情報と称す）を受信する。制御部７０は、無線部４０から出力された端末位置情報に基づいて自端末がどの国の基地局と通信しているかを示す国コードを得て演算部５０へ出力する（ステップＳＴ２０７）。
【００２６】
演算部５０の比較部５２は、ステップＳＴ２０５で判定された虫または動物の種類に基づいて、ステップＳＴ２０７で得られた国コードで特定される国に対応するデータベース６２の内容を検索し、ステップＳＴ２０５で判定された虫または動物に対応する音データを読み出す（ステップＳＴ２０８）。例えば、国コードが日本である場合、日本に生息する蚊の嫌がる１２ｋ〜１６ｋＨｚの周波数の音データが読み出され、国コードが東南アジアである場合、東南アジアに生息する蚊の嫌がる６００〜９００Ｈｚの周波数の音データが読み出される。比較部５２により読み出された音データは、制御部７０を介して音響制御部１０に出力され、制御部７０は、音響制御部１０に対して当該音データの出力を指示するとともに、表示制御部２０にディスプレイ２１に当該音データに対応する虫または動物の種類等の付属情報を表示するように指示する（ステップＳＴ２０９）。
【００２７】
音響制御部１０では、音データをデジタルデータからアナログデータに変換して音信号を出力し（ステップＳＴ２１０）、次にスピーカ１２は音信号を音波として出力する（ステップＳＴ２１１）。また、表示制御部２０は、国コードに対応した虫または動物が近くにいることおよびその撃退用の音が出力されていることの表示を指示し、これらがディスプレイ２１に表示される（ステップＳＴ２１２）。ステップＳＴ２１２が終了するとステップＳＴ２０１に戻り、同様のフローを続ける。
【００２８】
一方、比較部５２は、ステップＳＴ２０５でデータベース６１のデータと不一致、すなわち虫または動物の発する音が含まれていないと判定した場合、音データの出力を終了する。次に制御部７０は、比較部５２からの音データの出力が無いことに基づいて音響制御部１０へ音出力の終了を指示するとともに、表示制御部２０へ表示の終了を指示をし（ステップＳＴ２１３）、音響制御部１０は音出力を終了させるように指示をし（ステップＳＴ２１４）とともに、表示制御部２０は表示データの出力を終了してディスプレイ２１を通常の待ち受け画面に復帰させる（ステップＳＴ２１５）。ステップＳＴ２１５が終了するとステップＳＴ２０１に戻り、同様のフローを続ける。
【００２９】
以上のように、この実施の形態２による携帯電話端末では、虫または動物とその虫または動物が嫌う周波数の音データとそれぞれの虫または動物が生息する地域を示す国コードとを関連付けて記憶したデータベース６２を有する記憶部６０と、アンテナ４１を介した無線通信により自端末が位置する地域の国コードを取得する無線部４０とを備えたので、虫または動物の嫌う周波数の地域による差異を使用者が意識することなく、使用地域にあった虫または動物の嫌がる周波数の音を出力することができる。
【００３０】
なお、実施の形態２では、現在位置情報に基づいた国コードにより地域を判定する構成としたが、他の基地局情報から地域を判定する構成としたり、ＧＰＳ（Global Positioning System）を用いて地域を判定する構成としてもよい。
【００３１】
また、実施の形態１および実施の形態２では、常時動作する構成としたが、一定の時間ごとに周期的に動作するように構成してもよい。
【図面の簡単な説明】
【００３２】
【図１】この発明の実施の形態１および２による携帯電話端末の構成の一例を示すブロック図である。
【図２】この発明の実施の形態１の制御手段を示すフローチャートである。
【図３】この発明の実施の形態２の制御手段を示すフローチャートである。
【符号の説明】
【００３３】
１０  音響制御部、１１  マイク、１２  スピーカ、２０  表示制御部、２１  ディスプレイ、３０  キー操作部、４０  無線部、４１  アンテナ、５０  演算部（判定部）、５１  解析部、５２  比較部、６０  記憶部、６１，６２  データベース、７０  制御部。
【図１】
2008301747.tif 000003
【図２】
2008301747.tif 000004
【図３】
2008301747.tif 000005